(57)【要約】【課題】簡単且つ軽量のシールド接続構造の提供。【解決手段】シールド接続構造は、少なくとも１個の多導体シールド電線を回路担持体等に電気的に接続するために、特にイーサネット(登録商標）ラインを電気デバイスに接続するために設けられる。接続構造は、取付け可能なカバー１０２を有する絶縁ハウジング１０１と、少なくとも１本の電線１４の導体１４１と接触するためにハウジング１０１内に配置された圧接コンタクト１０３とを有する。絶縁ハウジング１０１内、又はカバー１０２の下に、ハウジングの内部を概ね閉鎖してシールドする導電性シールドプレート１２１がある。【選択図】図２
2004119384.tif 000002
【特許請求の範囲】
【請求項１】
　少なくとも１本の多導体シールド電線を回路担持体に電気的に接続するためのシールド接続構造であって、固定可能なカバーを有するハウジングと、該ハウジングに配置された少なくとも１本の電線の導体と接触する圧接コンタクトを有するシールド接続構造において、
　前記ハウジング及び前記カバーは電気的に絶縁され、
　前記ハウジング及び前記カバー内には、前記ハウジングの内部を遮蔽する導電性シールドプレートが前記ハウジングをほぼ閉鎖した状態で存在することを特徴とするシールド接続構造。
【請求項２】
　前記シールドプレートは、前記カバーに挿入されて該カバーに固定されることを特徴とする請求項１記載のシールド接続構造。
【請求項３】
　前記シールドプレートは、前記カバーの開口に係止する弾性舌片により前記カバーに取外し可能に固定されることを特徴とする請求項１又は２記載のシールド接続構造。
【請求項４】
　前記弾性舌片は、前記接続構造が導電性ハウジング内に挿入され且つ前記カバーが閉鎖した状態で、ハウジング壁、ハウジングカバー又は隣接する接続構造の弾性舌片と導電接続されていることを特徴とする請求項３記載のシールド接続構造。
【請求項５】
　前記カバーは、前記ハウジングに固定された回転軸の周りに回転取付けされていることを特徴とする請求項１ないし４のうちいずれか１項記載のシールド接続構造。
【請求項６】
　前記ハウジング内に付加的な小さなシールドプレートが、前記電線の電線シールドと電気的に接続された状態で設けられていることを特徴とする請求項１ないし５のうちいずれか１項記載のシールド接続構造。
【請求項７】
　前記カバーは前記ハウジングにねじ止めされていることを特徴とする請求項１ないし６のうちいずれか１項記載のシールド接続構造。
【請求項８】
　前記小さなシールドプレートは、前記カバーがねじ止めされる際に前記シールドプレートと電気的に接続された状態で固定されていることを特徴とする請求項１ないし７のうちいずれか１項記載のシールド接続構造。
【請求項９】
　前記圧接コンタクトは前記印刷回路担持体に半田付けされていることを特徴とする請求項１ないし８のうちいずれか１項記載のシールド接続構造。
【請求項１０】
　前記小さなシールドプレートは前記印刷回路担持体の接地コンタクトに半田付けされていることを特徴とする請求項１ないし９のうちいずれか１項記載のシールド接続構造。
【請求項１１】
　前記ハウジングは、該ハウジングの下面に該ハウジングを前記回路担持体に固定するために少なくとも２個のラッチ接続部を有することを特徴とする請求項１ないし１０のうちいずれか１項記載のシールド接続構造。
【請求項１２】
　前記ハウジングは絶縁材料製であることを特徴とする請求項１ないし１１のうちいずれか１項記載のシールド接続構造。
【請求項１３】
　請求項１ないし１２のうちいずれか１項記載のシールド接続構造が互いに隣接して配置されていることを特徴とする電気デバイス又はデバイスモジュールの導電性ハウジング。
【請求項１４】
　使用される少なくとも１個の前記接続構造の前記弾性舌片が、ハウジング壁、ハウジングカバー又は隣接する接続構造の弾性舌片と導電接続されていることを特徴とする請求項１３記載の導電性ハウジング。
【請求項１５】
　少なくとも１個の前記シールド接続構造の前記カバーは前記ハウジングカバーと概ね面一に終端することを特徴とする請求項１３又は１４記載の導電性ハウジング。
【請求項１６】
　前記カバーは、上方へ回転可能であって最終位置にラッチ可能であり、多導体シールド電線を横たえて接触するために、前記接続構造を前記導電性ハウジング内に挿入可能にすることを特徴とする請求項１３ないし１５のうちいずれか１項記載の導電性ハウジング。
【発明の詳細な説明】
【技術分野】
【０００１】
　本発明は、データ転送用のシールド接続構造に関し、特に工業分野でのイーサネット(登録商標）ラインに接触するためのシールド接続構造（connection arrangement）に関する。
【背景技術】
【０００２】
　回路キャリアが配置されたハウジングを用いた複数のシールド電線を接続するための種々の構造が知られている。相手コネクタ及び印刷回路基板又はケーブル間の信号及び接地接続するためのシールドコネクタは、上壁、底壁、両側壁及び後壁により形成された内部キャビティを有するハウジングを具備する。内部キャビティ内に配置され後壁の絶縁領域を貫通する信号コンタクトを遮蔽するために、ハウジング表面は導電性を有する。その一つの構造に、表面を形成する金属コーティングを有する合成樹脂製ハウジングがある。別の構造に、合成樹脂製インサートを有する硬い金属ハウジングがある。
【０００３】
　データ転送ケーブル等のシールドケーブル用の端子ブロックは、ダイキャスト金属製の下部分及び上部分を具備する。接続されるケーブルの導体は、下部分の内部にラッチされ得るチャージブロック内に挿入される。上部分に配置されるのは、印刷回路基板担持ソケットが着座する担持板である。圧接コンタクトが担持板に着座し、上部分が下部分に配置されてねじにより結合される際に導体と接触するために、チャージブロック内へ差し込む。
【０００４】
　シールドケーブル用の端子ブロックは、上部分及び下部分からなるシールドハウジングを有する。接続されるケーブルは、ケーブルの露出したシールドの周囲に到達するクリップにより保持される。クリップはハウジングの受容体に挿入される。シールドをハウジングに導電接続するために、半径方向の圧力が、一側においてケーブルのシールドに向かって、他側においては受容体に向かってクリップを押圧する。受容体は、ハウジングの内部に配置され、ストレインリリーフの形態でクリップをしっかりと保持する。
【０００５】
　工業環境におけるデータ転送用のシールド接続構造は、工具の補助なしでシールドケーブルのシールドされた電気導体又は複数の電気導体と接触し、公知である。ケーブルは回転受容体内に押圧され、その位置で圧接コンタクトにより接触する。回転受容体は、回転するカバーにより固定される。ハウジング及び回転カバーはそれぞれ、接地接続部を有すると共に電磁放射に対するシールドを形成する。
【特許文献１】独国特許出願公開第１９７１２６３０号明細書
【特許文献２】独国特許出願公開第１９８５３９２７号明細書
【特許文献３】独国特許出願公開第４４２２４５２号明細書
【特許文献４】国際公開第０２／１５３４０号明細書
【発明の開示】
【発明が解決しようとする課題】
【０００６】
　シールド接続構造のハウジングは軽量で製造が簡単であることが望まれている。
【課題を解決するための手段】
【０００７】
　本発明の典型的実施形態において、シールド接続構造は、少なくとも１本の多導体シールド電線を回路担持体等に電気的に接続するために設けられる。例えば、シールド接続構造は、イーサネット(登録商標）ラインを電気デバイスに接続するために使用してもよい。典型的構造は、固定可能なカバーを有するハウジングを具備し、カバーが固定される際にハウジング及びカバー間に内部キャビティが形成される。圧接コンタクトは、少なくとも１本の電線の導体と接触するためにキャビティ内に配置される。ハウジング及びカバーは、例えば合成材料又はセラミック等の絶縁材料製である。ハウジング内及び絶縁カバー下の一方又は両方に、少なくとも１本の導電シールドプレートを具備するシールドがある。シールドプレートは、好適には固定可能なカバー内に挿入されてその位置に固定することができ、接続部を取り囲む概ね閉鎖した導電面を形成することにより接続構造を遮蔽するよう作用する。
【０００８】
　本シールド接続構造は、絶縁ハウジングがセラミック又は合成樹脂材料製であり、単に打ち抜かれて形成されたシールドプレートが絶縁ハウジング内に挿入される結果、簡単且つ軽量の構造を提供する。例えば、ホットチャンバ亜鉛ダイキャスト等の比較的重量のある材料製の公知のハウジングと比較すると、本発明による典型的な接続構造は、著しく軽量で、製造方法がより簡単である。
【０００９】
　シールドプレートは、カバーの開口に係止する弾性舌片により、カバー内に取外し可能に固定できる。これにより、カバー及びシールド間に、使用が容易なラッチ又はスナップイン接続からなる信頼性の高い機械的接続を生ずる。
【００１０】
　本発明の典型的な実施形態によれば、接続構造が導電性ハウジング内に挿入され且つカバーが閉じられると、弾性舌片は、ハウジング壁又はハウジングカバー、並びに隣接する接続構造の弾性舌片の一方又は両方と導電接触状態になる。このため、シールドプレートは、付近のユニット及び金属ハウジングの両方と信頼性高く接触する。この信頼性の高い接触は、高レベルの電磁放射シールド強化安全性を提供する。
【００１１】
　カバーは、好適にはハウジングに固定された回転軸の回りに回転するように実装される。従って、電線は、弾性舌片上に吊り下げられて閉じた位置にカバーを回転することにより、所定位置で接続することができる。カバーを緩めるためにねじ廻しをレバーとして使用することができる。カバーはハウジングにねじ止めすることができる。
【００１２】
　本発明の典型的実施形態において、付加的な小さなシールドプレートが、電線のシールドと接続された状態でハウジング内に設けられる。小さなシールドプレートは、カバーがねじ留めされる際にシールドプレートに導電接続した状態で固定される。このため、電磁放射からハウジングの内部を殆ど隙間無く遮蔽する。
【００１３】
　電線導体と接触するための圧接コンタクト及び小さなシールドプレートはそれぞれ、小さなシールドプレートのコンタクトピンが好適には印刷回路担持体すなわち印刷回路基板の接地コンタクトに半田付けされた状態で、印刷回路担持体に半田付けすることができる。
【００１４】
　本発明の典型的実施形態において、ハウジングは、印刷回路担持体上のラッチ接続部により、下側に固定することができる。これらラッチ接続部は、例えば印刷回路担持体の対応する凹部内にラッチするための２個、３個又はそれ以上のラッチタブとして構成することができる。
【００１５】
　本発明の別の実施形態において、電気デバイス又はデバイスモジュールの導電性ハウジングは、互いに隣接して配置された１個以上のシールド接続構造を有する。本明細書で説明される接続構造は導電性ハウジング内で互いに隣接して並ぶのに特に好適であり、接続構造のハウジングのカバーからそれぞれ突出する弾性舌片は理想的には２個の隣接する接続構造と接触するのに適合する。使用される少なくとも１個の接続構造の弾性舌片は、ハウジング壁、ハウジングカバー、隣接する接続構造の弾性舌片又はそれらの組合せと電気的接続状態とすることができる。
【００１６】
　本発明の一実施形態による少なくとも１個のシールド接続構造のカバーはハウジングカバーと面一とすることができる。多導体シールド線内に横たわり且つ多導体シールド線と接触する目的で電気接続構造が導電性ハウジング内に挿入されると、カバーは、好適には回転することができ、最終位置にラッチすることができる。
【発明を実施するための最良の形態】
【００１７】
　以下、添付図面を参照して本発明を説明する。図１は、本発明の典型的一実施形態による接続構造が配置された導電性ハウジングの部分を示す斜視図である。図２は、図１の接続構造の分解斜視図である。図３は、本発明の典型的一実施形態によるシールドプレートを示す斜視図である。図４は、電線が所定位置に吊り下げされ、カバーが開けられた状態の本発明の典型的一実施形態による接続構造を示す斜視図である。図５は、カバーが閉じられた状態の本発明の典型的に一実施形態による接続構造を示す斜視図である。図６は、図４及び図５の接続構造のシールドの部分詳細斜視図である。図７及び図８は、印刷回路基板を省略し互いに隣接した、本発明の典型的一実施形態による２個の接続構造の下から見た状態を示す図である。図９は、図４及び図５の接続構造の詳細図である。図１０は、本発明の典型的に一実施形態による導電性ハウジング内に互いに隣接した１列４個の接続構造を示す図である。
【００１８】
　本発明による典型的な接続構造は図１に示される。本実施形態において、導電性ハウジング２は、ハウジング前壁２２及びハウジング側壁２３を有する。２個の接続構造１０が、シールド電線１４及びハウジング２内に配置された印刷回路基板（図示せず）間を接触する目的でハウジング２内に配置されている。電線１４はそれぞれ、ハウジング前壁２２の開口すなわち電線貫通孔２５を通って案内され、接続構造１０で終端する。カバー１０２は、開位置および閉位置間を回転するように、各接続構造１０でハウジング２に回転可能に取り付けられる。一方の接続構造１０（図１において左側に示される）のカバーは、開位置へ上方に回転し、圧接コンタクト１０３（図２参照）と共に電線１４の接続部を露出する。ハウジングカバー２１のカバー凹部２４は接続構造１０の上側を露出するので、カバー１０２は上方に回転可能であり、いつでも最終位置にラッチすることができ、電線１４に対してアクセスできる。
【００１９】
　図２は、本発明の一実施形態の接続構造１０の分解図である。接続構造１０は、ハウジング１０１と、ハウジング１０１に回転可能に接続され、回転接続部の反対側の端部でコネクタ１０８等により接続可能なカバー１０２とを実質的に具備する。ハウジング１０１及びカバー１０２は、例えば合成材料又はセラミック等の絶縁材料製である。複数の圧接コンタクト１０３は、ハウジング１０１に挿入されると共に、半田ピン１０４により印刷回路基板に半田付けされる。ハウジング１０１はその下側に複数のラッチタブ１１０を有する。ラッチタブ１１０は、印刷回路基板の適当な凹部内に押圧され、ハウジング１０１を印刷回路基板にラッチする。
【００２０】
　多導体シールド電線は、例えば「回転カバー」１０９を使用して圧接コンタクト上に載置でき、導体を各圧接コンタクトに電気的に接続する。シールドプレート１２１はカバー１０２の内部に配置され、カバーの内側の略全体を覆う。シールドプレート１２１は、複数の弾性舌片１２２を用いてラッチによりカバー１０２内に押圧できる。弾性舌片１２２は、カバー１０２の両側壁の開口１０５に係止する。カバー１０２は、ハウジング１０１の回転軸の周りに回転するようにハウジング１０１に接続され、回転軸１０６の反対側でねじ付きブッシング１０７に係止する２個の締付けねじ１０８により、ハウジング１０１に固定接続される。
【００２１】
　図３は、カバー１０２内に挿入可能なシールドプレート１２１を示す。シールドプレート１２１は皿状の輪郭を有し、複数の弾性舌片１２２によりカバー１０２にクランプで固定できる。
【００２２】
　図４は、カバー１０２が上方へ回転した状態の接続構造１０を示す。シールド電線１４の個別導体（図示せず）は、回転カバー１０９内に横たわり、圧接コンタクト１０３と接触して電気接続部を形成する。電気接続部は、回転カバー１０９内で押圧することにより電線導体及び圧接コンタクト１０３間に形成される。本件の電線１４は、ハウジング１０１内で概ね水平方向に横たわる。カバー１０２は、回転軸１０６の周りに回転すると、回転カバー１０９を押圧し、電線導体及び圧接コンタクト１０３間に電気接続部を形成する。次にカバー１０２は、締付けねじ１０８によりハウジング１０１にねじ止めされる。
【００２３】
　図５は、接続構造１０が閉鎖した取付け状態を示す。ハウジング１０１は、図示の実施形態において、ラッチタブ１１０により印刷回路基板にラッチして接続される。
【００２４】
　図６は、シールドプレート１２１及び小さなシールドプレート１２３からなるシールド１２を示す。カバー１０２は、明瞭にするために図６から省略されている。凹部は、シールドプレート１２１の上面にあり、締付けねじ１０８の周囲の領域且つ小さなシールドプレート１２３の上でカバー１０２に対向する。しかし、シールド１２は顕著に改良されており、小さなシールドプレート１２３及びシールドプレート１２１間の導電接続部により、及び小さなシールドプレート１２３及び締付けねじ間の電気接続部により殆ど閉鎖される。この目的のために、小さなシールドプレート１２３は、ねじ１０８がねじ込まれるとねじ付きブッシング１０７及び締付けねじ１０８間でクランプされる２個のクランプアーム１２６を有する。
【００２５】
　図７は、互いに隣接して配置された２個の接続構造１０を下から見た状態を示す。より明瞭にするために、印刷回路担持体すなわち印刷回路基板は省略されている。図７の左側の接続構造において、カバーは、上方に回転されて締付けねじ１０８から離れ、ねじ付きブッシング１０７にまだねじ込まれておらず、カバー１０２の後方弾性舌片１２２はハウジングカバー１２１の下に到っていない。図７の右側に示された接続構造１０において、カバー１０２は、ハウジング１０１上に載置されてハウジング１０１にねじ止めされる。カバー１０２の後方短辺の弾性舌片１２２は、金属ハウジングカバー１２１に下に到達してカバー１２１と電気接続部を形成する。
【００２６】
　図８は、両カバーがハウジング上に載置されハウジングにねじ止めされた２個の接続構造を下から見た状態を示す。
【００２７】
　図９は、カバー１０２に係止した弾性舌片１２２を示す。弾性舌片１２２は、導電性ハウジング２又は隣接する接続構造１０と電気的に接続することができ、このようにして、電線接続部の閉じたシールドを保証する。
【００２８】
　図１０は、互いに隣接して配置され、カバーの対応する大きな凹部２４を有する導電性ハウジング２内に配列された４個の接続構造１０を具備する実施形態を示す。この実施形態のハウジング前壁２２は、電線１４用の対応する多数の貫通穴２５を有する。
【００２９】
　本発明による接続構造は、例えば工業イーサネット(登録商標）速結接続ユニットとして当業界で公知の接続において使用することができる。電磁シールドは、シールドプレートインサートを形成するために単に打抜き加工された部品により達成される。公知の重量のある金属構造（例えば亜鉛ダイキャスト）を回避する結果として、軽量構造及び低コストの製造法が達成される。金属ハウジングの全ての面に弾性を有する構造により、信頼性の高い電磁シールドを保証する。全ての隣接する金属部品間の電気的接続部により電線が内部に配置されていない場合であっても、電磁シールドは存在する。本発明による接続構造により、部品が単一又は複数列の印刷回路基板に嵌まることが可能になる。
【００３０】
　以上、本発明の実施の可能性を数例説明した。本発明の範囲及び真髄の範囲内で、他に多くの実施形態が可能である。従って、上述の説明は、本発明を限定するのではなく、例示とみなされることを意図され、本発明の範囲は特許請求の範囲及びその等価の範囲により定められる。
【図面の簡単な説明】
【００３１】
【図１】本発明の典型的一実施形態による接続構造が配置された導電性ハウジングの部分を示す斜視図である。
【図２】図１の接続構造の分解斜視図である。
【図３】本発明の典型的一実施形態によるシールドプレートを示す斜視図である。
【図４】電線が所定位置に吊り下げされ、カバーが開けられた状態の本発明の典型的一実施形態による接続構造を示す斜視図である。
【図５】カバーが閉じられた状態の本発明の典型的に一実施形態による接続構造を示す斜視図である。
【図６】図４及び図５の接続構造のシールドの部分詳細斜視図である。
【図７】印刷回路基板を省略し互いに隣接した、本発明の典型的一実施形態による２個の接続構造の下から見た状態を示す斜視図である。
【図８】印刷回路基板を省略し互いに隣接した、本発明の典型的一実施形態による２個の接続構造の下から見た状態を示す底面図である。
【図９】図４及び図５の接続構造の詳細図である。
【図１０】本発明の典型的に一実施形態による導電性ハウジング内に互いに隣接した１列４個の接続構造を示す図である。
【符号の説明】
【００３２】
２　　　導電性ハウジング
１０　　接続構造
１２　　シールド
１４　　電線
２１　　ハウジングカバー
２２，２３　ハウジング壁
１０１　ハウジング
１０２　カバー
１０３　圧接コンタクト
１２１　シールドプレート
１２２　弾性舌片
１２３　小さなシールドプレート
１４２　電線シールド
【図１】
2004119384.tif 000003
【図２】
2004119384.tif 000004
【図３】
2004119384.tif 000005
【図４】
2004119384.tif 000006
【図５】
2004119384.tif 000007
【図６】
2004119384.tif 000008
【図７】
2004119384.tif 000009
【図８】
2004119384.tif 000010
【図９】
2004119384.tif 000011
【図１０】
2004119384.tif 000012